【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
プレゼンテーションに関する情報を管理するプレゼンテーションサーバとノート取りデバイスとがネットワークを介して接続されるシステムであって、
前記プレゼンテーションサーバは、
プレゼンテーション中に１以上の捕捉デバイスにて捕捉したプレゼンテーションに関する情報（以下、プレゼンテーション情報）を記憶する記憶手段と、
前記ノート取りデバイスから前記記憶手段に記憶されたプレゼンテーション情報の一部を要求する情報要求を受信する情報要求受信手段と、
前記情報要求受信手段にて受信した情報要求に基づいて、前記記憶手段に記憶されたプレゼンテーション情報の一部を前記ノート取りデバイスに送信するプレゼンテーション情報送信手段と
を備え、
前記ノート取りデバイスは、
所定のノート文書における位置を特定し、該ノート文書における位置に挿入するためにプレゼンテーション情報の一部の取得を要求する情報要求を受信する受信手段と
前記受信手段にて受信した情報要求が処理可能か否かを決定する決定手段と、
前記決定手段にて、前記情報要求が処理可能と判断された場合に、前記情報要求を前記プレゼンテーションサーバに送信する情報要求送信手段と、
前記プレゼンテーションサーバから前記送信した情報要求に対応するプレゼンテーション情報の一部を受信するプレゼンテーション情報受信手段と、
前記プレゼンテーション情報受信手段で受信したプレゼンテーション情報の一部を、ユーザが特定したノート文書における位置に挿入する挿入手段と、
を備えることを特徴とするシステム。
【請求項２】
前記ノート取りデバイスは、前記受信手段にて情報要求を受信すると、該情報要求を記憶する記憶手段をさらに備え、
前記決定手段は、前記ノート取りデバイスが前記プレゼンテーションサーバと通信可能か否かを判定して、前記情報要求を処理可能か否かを決定すること、
を特徴とする請求項１に記載のシステム。
【請求項３】
前記ノート取りデバイスは、前記受信手段にて情報要求を受信すると、該情報要求を記憶する記憶手段をさらに備え、
前記記憶手段は、前記決定手段にて、前記情報要求が処理不可能と判断された場合に、該情報要求によって要求されたプレゼンテーション情報の一部を挿入するノート文書及び該ノート文書における位置をさらに記憶し、
前記情報要求送信手段は、前記プレゼンテーションサーバとの通信が確立されたことを検出したときに、前記記憶手段に記憶される情報要求を前記プレゼンテーションサーバに送信し、
前記挿入手段は、前記記憶手段に記憶されるノート文書及びノート文書における位置に、前記プレゼンテーション情報受信手段にて受信したプレゼンテーション情報の一部を挿入すること、
を特徴とする請求項１又は２に記載のシステム。
【請求項４】
前記ノート取りデバイスはさらに、
前記受信手段にて情報要求を受信すると、該情報要求が生成されたことを示すビジュアルマーカーを前記ノート文書における位置に挿入するビジュアルマーカー挿入手段
を備えることを特徴とする請求項１乃至３のいずれか１に記載のシステム。
【請求項５】
前記ノート取りデバイスは、前記受信手段にて情報要求を受信すると、該情報要求を記憶する記憶手段をさらに備え、
前記記憶手段は、前記決定手段にて前記情報要求が処理不可能と判断された場合に、該情報要求によって要求されたプレゼンテーション情報の一部を挿入するノート文書及び該ノート文書における位置をさらに記憶し、
前記情報要求送信手段は、ユーザの動作に応じて生成された信号を受信すると、前記プレゼンテーションサーバとの通信が可能か否かをチェックし、通信が可能であれば前記情報要求を前記プレゼンテーションサーバに送信すること、
を特徴とする請求項１乃至４のいずれか１に記載のシステム。
【請求項６】
プレゼンテーションに関する情報を管理するプレゼンテーションサーバとノート取りデバイスとがネットワークを介して接続されるシステムにおける方法であって、
前記プレゼンテーションサーバにおいて、
第１の記憶手段が、プレゼンテーション中に１以上の捕捉デバイスにて捕捉したプレゼンテーションに関する情報（以下、プレゼンテーション情報）を記憶する第１の記憶段階と、
情報要求受信手段が、前記ノート取りデバイスから前記記憶段階で記憶されたプレゼンテーション情報の一部を要求する情報要求を受信する情報要求受信段階と、
プレゼンテーション情報送信手段が、前記情報要求受信段階にて受信した情報要求に基づいて、前記記憶段階で記憶されたプレゼンテーション情報の一部を前記ノート取りデバイスに送信するプレゼンテーション情報送信段階と
を含み、
前記ノート取りデバイスにおいて、
受信手段が、所定のノート文書における位置を特定し、該ノート文書における位置に挿入するためにプレゼンテーション情報の一部の取得を要求する情報要求を受信する受信段階と、
決定手段が、前記受信段階にて受信した情報要求が処理可能か否かを決定する決定段階と、
情報要求送信手段が、前記決定段階にて、前記情報要求が処理可能と判断された場合に、前記情報要求を前記プレゼンテーションサーバに送信する情報要求送信段階と、
プレゼンテーション情報受信手段が、前記プレゼンテーションサーバから前記送信した情報要求に対応するプレゼンテーション情報の一部を受信するプレゼンテーション情報受信段階と、
挿入手段が、前記プレゼンテーション情報受信段階で受信したプレゼンテーション情報の一部を、ユーザが特定したノート文書における位置に挿入する挿入段階と、
を含むことを特徴とする方法。
【請求項７】
前記ノート取りデバイスにおいて、第２の記憶手段が、前記受信段階にて情報要求を受信すると、該情報要求を記憶する第２の記憶段階をさらに備え、
前記決定段階において、前記ノート取りデバイスが前記プレゼンテーションサーバと通信可能か否かを判定して、前記情報要求を処理可能か否かを決定すること、
を特徴とする請求項６に記載の方法。
【請求項８】
前記ノート取りデバイスにおいて、第３の記憶手段が、前記受信段階にて情報要求を受信すると、該情報要求を記憶する第３の記憶段階をさらに含み、
前記第３の記憶段階において、前記決定段階にて、前記情報要求が処理不可能と判断された場合に、該情報要求によって要求されたプレゼンテーション情報の一部を挿入するノート文書及び該ノート文書における位置をさらに記憶し、
前記情報要求送信段階において、前記プレゼンテーションサーバとの通信が確立されたことを検出したときに、前記第３の記憶段階で記憶される情報要求を前記プレゼンテーションサーバに送信し、
前記挿入段階において、前記第３の記憶段階で記憶されるノート文書及びノート文書における位置に、前記プレゼンテーション情報受信段階にて受信したプレゼンテーション情報の一部を挿入すること、
を特徴とする請求項６又は７に記載の方法。
【請求項９】
前記ノート取りデバイスにおいて、さらに、
ビジュアルマーカー挿入手段が、前記受信段階にて情報要求を受信すると、該情報要求が生成されたことを示すビジュアルマーカーを前記ノート文書における位置に挿入するビジュアルマーカー挿入段階
を含むことを特徴とする請求項６乃至８のいずれか１に記載の方法。
【請求項１０】
前記ノート取りデバイスにおいて、第４の記憶手段が、前記受信段階にて情報要求を受信すると、該情報要求を記憶する第４の記憶段階をさらに含み、
前記記憶段階において、前記決定段階にて前記情報要求が処理不可能と判断された場合に、該情報要求によって要求されたプレゼンテーション情報の一部を挿入するノート文書及び該ノート文書における位置をさらに記憶し、
前記情報要求送信段階において、ユーザの動作に応じて生成された信号を受信すると、前記プレゼンテーションサーバとの通信が可能か否かをチェックし、通信が可能であれば前記情報要求を前記プレゼンテーションサーバに送信すること、
を特徴とする請求項６乃至９のいずれか１に記載の方法。
【請求項１１】
コンピュータを、プレゼンテーションに関する情報を管理するプレゼンテーションサーバとノート取りデバイスとがネットワークを介して接続されるシステムとして動作させるコンピュータプログラムであって、前記コンピュータを、
プレゼンテーション中に１以上の捕捉デバイスにて捕捉したプレゼンテーションに関する情報（以下、プレゼンテーション情報）を記憶する記憶手段と、
前記ノート取りデバイスから前記記憶手段に記憶されたプレゼンテーション情報の一部を要求する情報要求を受信する情報要求受信手段と、
前記情報要求受信手段にて受信した情報要求に基づいて、前記記憶手段に記憶されたプレゼンテーション情報の一部を前記ノート取りデバイスに送信するプレゼンテーション情報送信手段と
を備えるプレゼンテーションサーバとして動作させ、さらに前記コンピュータを、
所定のノート文書における位置を特定し、該ノート文書における位置に挿入するためにプレゼンテーション情報の一部の取得を要求する情報要求を受信する受信手段と
前記受信手段にて受信した情報要求が処理可能か否かを決定する決定手段と、
前記決定手段にて、前記情報要求が処理可能と判断された場合に、前記情報要求を前記プレゼンテーションサーバに送信する情報要求送信手段と、
前記プレゼンテーションサーバから前記送信した情報要求に対応するプレゼンテーション情報の一部を受信するプレゼンテーション情報受信手段と、
前記プレゼンテーション情報受信手段で受信したプレゼンテーション情報の一部を、ユーザが特定したノート文書における位置に挿入する挿入手段と、
を備えるノート取りデバイスとして動作させることを特徴とするコンピュータプログラム。